(57)【要約】【課題】高強度でモルタルの付着性に優れ、かつ低コストなラス網を提供する。【解決手段】網部２の網目形状が六角形状に形成されると共に、上下方向に沿って延在した複数の第１凸条３が型成形されたラス網１である。【選択図】図１
0003129669.tif 000002
【実用新案登録請求の範囲】
【請求項１】
建築物の外壁内に組み込まれるラス網であって、
網目を六角形状に形成すると共に、ラス網の上下方向に沿って複数の第１凸条を型成形したことを特徴とするラス網。
【請求項２】
前記六角形状の網目を、前記第１凸条の長手方向に延在した長六角形状としたことを特徴とする請求項１に記載のラス網。
【請求項３】
前記第１凸条と交差するようにラス網の左右方向に沿って複数の第２凸条を型成形したことを特徴とする請求項１又は２に記載のラス網。
【請求項４】
請求項１〜３の何れか一項に記載のラス網に、モルタルを塗工してなる建築物の外壁構造。
【考案の詳細な説明】
【技術分野】
【０００１】
本考案は、ラス網およびこれを用いた建築物の外壁構造に関する。
【背景技術】
【０００２】
木造軸組工法等で構築される建築物の外壁内には、モルタル層の保持力を高めることを目的として、また外壁の強度アップを目的としてラス網が組み込まれるのが通例である。ラス網としては、ＪＩＳ  Ａ  ５５０５に規定のメタルラス、ＪＩＳ  Ｇ  ３３５１に規定のエキスパンドメタルなどが公知である。メタルラスとしては、平ラス、コブラス、波形ラス、リブラスなどがある。
【０００３】
ここで、外壁構造としては、例えば、柱や構造面材等からなる躯体外壁面に所定間隔で取り付けられた縦胴縁と、縦胴縁の外面に、例えばステープルやタッカー等の取り付け具で防水シートを介して取り付けられたラス網と、ラス網に塗工されたモルタル層とで構成されるものが一般的である（例えば、特許文献１を参照）。
【特許文献１】特許３８２５７７１号公報
【考案の開示】
【考案が解決しようとする課題】
【０００４】
近年、建築物の耐震性向上を目的として外壁強度を高めることが求められ、また建築物の断熱性や防音性向上を目的として、モルタル層の厚みが増大する傾向にある。
【０００５】
外壁構造に組み込むラス網として平ラスを用いた場合、モルタルの付着性を高めることはできるものの、外壁強度を高める効果はさほど期待できない。また、コブラスや波形ラスを用いた場合、平ラスを用いた場合に比べて外壁強度を高めることは可能であるが、コブ部分や波部分等の盛り上がった部分とその他の部分との高低差が比較的大きいためにモルタル厚が不均一になり易く、かかるモルタル厚の不均一に起因してモルタル層にクラックが生じ易いという問題がある。
【０００６】
また、リブラスは、網部と、断面Ｖ字形状等をなす金属板で形成されたリブ部とが交互に配列された形態を呈するものであり、コブラス、波形ラスを用いる場合よりも外壁強度を高めることができる。しかしながらリブ部が金属板で形成されているために、当該リブ部におけるモルタルの付着性、すなわちモルタル層の保持力が低いという問題がある。また、リブラスは、網部とリブ部を交互に連結することにより製造されるため、コブラスや波形ラスを製造する場合に比べて製造工程の増加によるコスト増が避けられないものとなる。そのため、リブラスは一般に高価であり、外壁の施工コストが増大するという問題もある。
【０００７】
本考案は上記の問題点に鑑みてなされたものであり、その課題とするところは、高強度でモルタルの付着性に優れた低コストなラス網を提供し、これにより耐震性や断熱性に優れた外壁構造を低コストに構築可能とすることにある。
【課題を解決するための手段】
【０００８】
上記課題を解決するため、本考案では、建築物の外壁構造に用いられるラス網であって、網目を六角形状に形成すると共に、ラス網の上下方向に沿って複数の第１凸条を型成形したことを特徴とするラス網を提供する。
【０００９】
上記のように、網目を六角形状とすれば、網目を一般的な四角形状（菱形形状）とした場合に比べて、各網目のボンド点（接続部）を長くすることができるので強度が高まる。また、ラス網の上下方向に沿って複数の第１凸条を設けたことから、ラス網の強度は一層高まり、従って高強度な外壁構造を構築することができる。その一方で、第１凸条は網部に型成形されるから、リブラスのリブ部で問題となったモルタルの付着性低下を回避することができ、しかもかかる特徴を有するラス網が低コストに得られる。
【００１０】
六角形状の網目は、正六角形状とすることも可能であるが、第１凸条の長手方向に延在した長六角形状とするのが望ましい。かかる長六角形状とすることにより、正六角形状とした場合よりもボンド点を長くすることができ、一層強度を高めることができるからである。
【００１１】
上記構成のラス網には、第１凸条と交差するように、ラス網の左右方向に沿って複数の第２凸条を型成形することもできる。かかる構成とすれば、ラス網の強度およびモルタルの付着性をより一層高めることができる。また、第２凸条は型成形され、つまり第１凸条を型成形するのと同時に型成形することができるから、かかる高強度のラス網が低コストに得られる。
【００１２】
上記構成のラス網に外装材を塗工してなる外壁構造であれば、ラス網が上述した種々の特徴点を有するものであるから、モルタルの付着性および外壁の強度を同時に高めることができる。従って、断熱性や防音性、また耐震性を高めた外壁構造を構築することができ、しかも、この種の外壁構造を低コストに構築することが可能となる。
【考案の効果】
【００１３】
以上より、本考案によれば、高強度でモルタルの付着性に優れたラス網を低コストに提供することができる。従ってこのラス網を用いれば、断熱性や防音性、さらには耐震性に優れる外壁構造が低コストに構築可能となる。
【考案を実施するための最良の形態】
【００１４】
以下、本考案の実施形態を図面に基づいて説明する。
【００１５】
図１（ａ）（ｂ）は、本考案にかかるラス網１の一例を示すものである。同図に示すラス網１は網部２のみで構成され、常温引伸切断法で製造されたメタルラスである。ラス網１には、その上下方向（長辺方向）に沿って複数（図示例は３条）の第１凸条３が等間隔で形成されている。もちろん第１凸条３は、２条あるいは４条以上形成することもでき、さらに、各第１凸条３の離間距離も任意に設定することができる。これらは、要求品質に応じて任意に設定することができる。
【００１６】
網部２の形状（網目形状）は図２にも拡大して示すように、六角形状、より具体的には、網目が第１凸条３の長手方向に延在する長六角形状に形成されている。すなわち、網部２は、その長径方向（Ｌ）および短径方向（ｌ）が、ラス網１の長辺方向および短辺方向とそれぞれ平行になるように形成されている。例えば、Ｌ×ｌ＝２５ｍｍ×１０ｍｍとされる。
【００１７】
本実施形態では第１凸条３の断面形状が、図１（ｂ）に示すように、略円弧状に形成されている。この第１凸条３は、例えば、第１凸条３の断面形状に対応した断面形状を有する金型を用いて、平ラスにプレス加工することにより型成形される。なお、第１凸条３の断面形状は円弧状に限定されるものではなく、Ｖ字形状等、その他任意の形状とすることができる（図示は省略）。
【００１８】
以上に示すように、本考案にかかるラス網１では網目形状が六角形状に形成されているので、網目形状を一般的な四角形状（菱形形状）とした場合に比べて各網目のボンド点を長くすることができ、その分強度を高めることができる。また、ラス網１の上下方向（長辺方向）に沿って複数の第１凸条３を設けたので、ラス網１の強度を一層高めることができる。なお、本実施形態では、網目形状を第１凸条３の長手方向に延在する長六角形状としたので、網目形状を正六角形とする場合よりもボンド点を長くすることができ、一層強度の高いラス網１とすることができる。従って、かかる構成のラス網１を用いれば外壁を高強度化することができ、耐震性に優れる外壁構造を構築することが可能となる。
【００１９】
一方、第１凸条３は、網部２のみからなるラス網１を型成形して得られるので、リブ部を金属板で形成したリブラスで問題となったモルタルの付着性低下を回避することができる。従って、モルタルを厚塗りすることが可能となり、断熱性や防音性に優れた外壁構造を構築することが可能となる。
【００２０】
また、リブラスにモルタルを塗工した場合には、網部とリブ部におけるモルタルの乾燥速度の相違に起因して、両部の境界部付近でクラックが生じ易くなるという問題もある。これに対して本考案にかかるラス網１を用いれば、リブ部に対応した第１凸条３が網部２で構成されていることから、かかる乾燥速度の相違に起因したクラックの発生を効果的に防止することが可能となる。
【００２１】
なお、第１凸条３は型成形されるので、リブラスを製造する際に問題となった製造工程の増大を招くことなく、上記種々の特徴を有するラス網１が低コストに得られる。
【００２２】
また、第１凸条３は網部２で構成されていることから、本考案にかかるラス網１は、第１凸条３に対応するリブ部を金属板で形成したリブラスに比べて軽量化される。従って、本考案にかかるラス網１であれば、外壁施工時の作業性を高めることもできる。
【００２３】
なお、図示例では第１凸条３をラス網１の長辺方向に沿って設けた構成としたが、第１凸条３は、ラス網１の短辺方向に沿って設けることもできる。
【００２４】
図３（ａ）（ｂ）は、本発明にかかるラス網の第２実施形態を示すものである。同図に示すラス網１１が、図１に示すラス網１と異なる主な点は、第１凸条３と交差するようにラス網１１の左右方向に沿って複数の第２凸条４が型成形されている点にある。かかる構成とすれば、第１凸状３を型成形するのと同時に、第１凸条３と交差する第２凸条４が型成形されるから、特段のコスト増を生じることなく一層高強度かつモルタルの付着性に優れたラス網を得ることができる。なお、図示例では、第１凸条３および第２凸条４をそれぞれ３条ずつ設けた構成としているが、第１凸条３および第２凸条４の数は要求される強度等に応じて任意に設定することができる。これ以外の構成は、第１実施形態に準じるので、共通の参照番号を付して重複説明を省略する。
【００２５】
以上の説明では、ラス網１，１１を常温引伸切断法で製造されるメタルラスとしたが、ラス網１は、冷間切延法で製造されるエキスパンドメタルとしてもよい。
【００２６】
次に、建築物の外壁構造の一例を図４に示す。同図に示す外壁構造は、主に木質系家屋（木造軸組工法）の外壁構造として採用されるものであり、図１に示すラス網１を用いた外壁構造を概念的に示すものである。
【００２７】
同図に示す外壁構造は、建築物の躯体２１と、躯体２１の外壁面に取り付けられた防水紙等の防水シート２２と、防水シート２２の外面に所定間隔で複数取り付けられた支持部材（胴縁ともいう）２３と、タッカー等の留め付け具によって支持部材２３の外面に取り付けられたラス網１と、ラス網１に塗工されたモルタル層２５とで構成される。なお図示は省略しているが、モルタル層２５の外壁面には、樹脂やセラミックなどからなり、外壁に耐水性を付加する塗膜層が形成される場合もある。隣接する支持部材２３間には通気層２４が形成される。
【００２８】
上記の外壁構造に用いるラス網１は上述した種々の特徴を有するものであるから、モルタル層２５を厚塗りして断熱性や防音性に優れた外壁構造となり、また、耐震性に優れた外壁構造となる。しかもこの外壁構造は低コストに得られる。
【００２９】
以上、本考案の実施形態について説明を行ったが、本考案は前述した実施形態に何ら限定されるものでなく、本考案の要旨を逸脱しない範囲において、さらに種々なる形態で実施し得ることは勿論のことである。本考案の範囲は、実用新案登録請求の範囲によって示され、さらに実用新案登録請求の範囲に記載の均等の意味、および範囲内の全ての変更を含む。
【図面の簡単な説明】
【００３０】
【図１】（ａ）図は、本考案の第１実施形態にかかるラス網の平面図、（ｂ）図は（ａ）図の下面図である。
【図２】図１（ａ）の一部拡大図である。
【図３】（ａ）図は、本考案の第２実施形態にかかるラス網の平面図、（ｂ）図は（ａ）図の側面図である。
【図４】本考案にかかるラス網を用いた建築物の外壁構造を概念的に示す断面図である。
【符号の説明】
【００３１】
１，１１  ラス網
２        網部
３        第１凸条
４        第２凸条
２１      躯体
２５      モルタル層
【図１】
0003129669.tif 000003
【図２】
0003129669.tif 000004
【図３】
0003129669.tif 000005
【図４】
0003129669.tif 000006